(57)【要約】【課題】表示素子の駆動において、高解像度化やフレームレートの上昇に伴うデータ転送速度の高速化によって、放射電磁界ノイズ対策が困難になっている。特に複数の表示素子で構成されるプロジェクタの場合、ハイコントラストの幾何学模様やフォントサイズが小さい文章を投影すると、すべての表示素子へ伝送されるクロック信号だけでなく、データバス信号も同期する可能性が高いため、放射電磁界ノイズのレベルが高くなる。【解決手段】複数の表示素子を有するプロジェクタにおいて、１つの表示素子の走査方向を他のパネルと比較して逆転させる。【選択図】図３（ａ）
2018004848.tif 000002
【特許請求の範囲】
【請求項１】
映像データを色ごとに分離したデータ信号、および制御信号を出力し、表示素子を制御する手段と、前記制御手段から出力される映像データ信号、および制御信号を受けて色ごとに映像を表示する複数の表示素子で構成されるプロジェクタにおいて、前記制御手段は、複数の表示素子へ出力された映像データの走査方向に関する制御手段を有し、前記走査方向制御手段は、少なくとも１つ以上の表示素子の走査方向を、それ以外の表示素子の走査方向とは異なる方向に変更できることを特徴とするプロジェクタ。
【請求項２】
前記表示素子の走査方向制御手段は、前記表示素子へ伝送する映像データを解析し、それらの信号遷移の方向、回数、遷移パターンの類似性、および同時性を判定する手段を有し、前記判定手段に従って、任意の表示素子の走査方向を変更することを特徴とする請求項１に記載のプロジェクタ。
【請求項３】
前記映像データの遷移パターンの類似性と同時性を判定する手段が、各表示素子へ伝送するデータにおいて、１水平同期期間内のデータ信号の信号遷移の方向、回数、遷移パターンの類似性、および同時性を解析、特徴値と出力し、かつ、それらを表示素子ごとに比較することを特徴とする請求項２に記載のプロジェクタ。
【請求項４】
前記表示素子の走査方向制御手段は、前記表示素子へ伝送する映像データを解析し、映像の模様、映像に含まれる画像または文字の比率、または色のコントラストの高低を判定する手段を有し、前記判定手段に従って、任意の表示素子の走査方向を変更することを特徴とする請求項１に記載のプロジェクタ。
【請求項５】
映像データを色ごとに分離したデータ信号、および制御信号を出力し、表示素子を制御する手段と、前記制御手段から出力される映像データ信号、および制御信号を受けて色ごとに映像を表示する複数の表示素子、および、前記制御手段と各表示素子間の伝送路の近傍に配置された放射電磁界ノイズの強度を測定できるセンサーで構成されるプロジェクタにおいて、前記制御手段は、複数の表示素子へ出力された映像データの走査方向に関する制御手段を有し、前記走査方向制御手段は、前記センサーの情報に基づいて、少なくとも１つ以上の表示素子の走査方向をそれ以外の表示素子の走査方向とは異なる方向に変更できることを特徴とするプロジェクタ。
【請求項６】
前記放射電磁界ノイズを測定するセンサーから、ある特定の値以上のノイズ強度が検出された場合、最大値を検出したセンサーが測定している表示素子の走査方向を、それ以外の表示素子の走査方向と異なる方向に変更できることを特徴とする請求項５に記載のプロジェクタ。
【発明の詳細な説明】
【技術分野】
【０００１】
本発明は、表示素子を複数枚有するプロジェクタに関し、放射電磁界（ＥＭＩ）ノイズを低減するための表示素子の走査方法に関する。
【背景技術】
【０００２】
従来、液晶プロジェクタのような表示素子（液晶パネル）を有する機器において、機器から発生する放射電磁界（ＥＭＩ）ノイズを抑制するために、液晶パネルへのデータ伝送方式、あるいは液晶パネルの駆動タイミングを生成する制御ＩＣの駆動方法での対策が講じられてきた。
【０００３】
例えば、液晶パネルへのデータ伝送における対策例として、伝送信号の低電圧化や、伝送信号の差動信号化、周波数拡散クロック生成回路（ＳＳＣＧ）技術を利用したノイズ低減方法等が実用化されている。
【０００４】
また、液晶パネルの制御方法でＥＭＩノイズを低減させる例として、特許文献１には、液晶パネルの１ライン毎に、隣接する前後のラインのデータを比較し、電磁界放射ノイズの原因となるデータの遷移量が最小となるように、パネルの駆動信号をエンコードする手法が開示されている。
【先行技術文献】
【特許文献】
【０００５】
【特許文献１】特開２００５−１７３６１８号公報
【発明の概要】
【発明が解決しようとする課題】
【０００６】
しかしながら、上記特許文献１に開示された技術では、液晶パネルを制御するＩＣ側（映像信号送信側）にはエンコード回路を設け、液晶パネル側（映像信号受信側）にはデコード回路をそれぞれのデバイスに設ける必要がある。このため、それらの回路を付加することで前記ＩＣや液晶パネルのコストアップ要因となりうる。また、デバイス内の回路規模が大きくなれば、それに比例して消費電力も大きくなる要因になりうる。
【０００７】
一方、複数の液晶パネルを使用するプロジェクタや、４Ｋ、８Ｋパネルなど高解像度化、高画質化のための多諧調度化により、ドライバＩＣと液晶パネル間を伝送するデータ量の増加が予想される。これらを実現するため、伝送信号であるＣＬＫ信号、データバスの信号数増加、および動作周波数のさらなる高速化によって、従来技術であるＳＳＣＧによる放射ノイズ低減対策等では、必要十分な放射ノイズ対策になり得ない。
【０００８】
これらの理由から、本発明の目的は、複数の液晶パネルを使用するプロジェクタや、高解像度化、多諧調化によって伝送信号の高速化、バス線の本数が多い液晶パネルを採用するプロジェクタに対して、簡素で安価な放射ノイズ対策を実現することである。
【課題を解決するための手段】
【０００９】
上記の目的を解決するために、本発明に係るプロジェクタは、
色ごとに複数枚の表示素子を有するプロジェクタに関し、１つまたは複数の表示素子の走査方向をそれ以外の表示素子の走査方向と逆にすることを特徴とする。
【発明の効果】
【００１０】
例えば、色ごとに複数枚の表示素子を有するプロジェクタを使用して、白地に黒の小さなフォントから成る文書を投影する場合、またはコントラスト比が高い微細な幾何学模様を投影している場合、表示素子へのデータバスを伝送するデジタル信号の遷移パターンが似通ってしまうことがある。このようなとき、表示素子を含む駆動回路から放射される放射電磁界ノイズのレベルが、通常の映像を投影するときよりも著しく大きくなってしまう。
【００１１】
本発明に係るプロジェクタによれば、上記のような場合でも、特定の表示素子の走査方向をその他の表示素子と逆方向に変えることで、同期してしまう伝送信号の本数を減らし、結果として放射電磁界ノイズレベルも低減することが可能である。
【図面の簡単な説明】
【００１２】
【図１】実施形態（外形）
【図２（ａ）】第一の形態のブロック図（全体）
【図２（ｂ）】第二の形態のブロック図
【図３（ａ）】画像処理マイコン周辺デバイスと詳細な信号の流れを示す図
【図３（ｂ）】映像データ同期判定部にて抽出されるデータの例を示す図
【図４】第一の実施形態のフローチャート
【図５（ａ）】放射電磁界ノイズを抑える原理
【図５（ｂ）】放射電磁界ノイズを抑える原理
【図６】第二の形態のブロック図（部分）
【図７】第二の実施形態のフローチャート
【発明を実施するための形態】
【００１３】
以下、図面を参照して本発明を実施するための形態について説明する。
【実施例１】
【００１４】
図１は本発明に係る実施形態のプロジェクタの上面図（ａ）、図中の矢印の方向から見た各側面図（ｂ）、（ｃ）、（ｄ）を示したものである。
【００１５】
図１（ａ）において、１０１はプロジェクタ本体、１０２は投射レンズである。１０３は電源ボタン、１０４は設定画面を呼び出すためのメニューボタン、１０５は映像信号の入力先を選択するボタン、１０６はメニュー画面で選択決定を行なうボタンである。１０７〜１１０はＯＳＤ画面上で上下左右方向にメニュー選択を行なうためのボタンである。
【００１６】
図１（ｂ）において、１１１はデジタル映像信号入力端子、１１２はアナログ映像信号入力端子である。１１３は外部のネットワーク（ＬＡＮ）と有線で接続するためのネットワーク通信端子である。１１４はビデオ信号入力端子、１１５は音声信号入力端子、１１６は外部機器への音声信号出力端子である。
【００１７】
図１（ｃ）において、１１７はプロジェクタ内部の熱を排気するための外気の取り込み口であり、空気中の塵埃を取り除くためのフィルタも設けられている。
【００１８】
図１（ｄ）において、１１９はＡＣインレットであり、外部の商用電源とケーブル接続する。１１９はプロジェクタ内部の熱を排気するための大型の排気口であり、排気方向を調整するためのフィンが設けられている。
【００１９】
図２（ａ）はプロジェクタを動作させるためのＬＳＩ、センサー、アクチュエータ、光源、表示素子、電源などの各構成要素をブロック図で示したものである。
【００２０】
２０１は外部の映像信号出力機器からアナログまたはデジタルのフォーマットで入力された映像信号をプロジェクタの液晶パネルの解像度にスケーリング処理や色補正するためのワンチップ型のマイクロコンピュータである（以下、映像信号処理マイコンという）。
【００２１】
映像信号処理マイコン２０１は、デジタル映像入力端子１１１、またはアナログ映像入力端子１１２、またはネットワーク通信端子１１３からの入力を検知すると、入力された映像信号をデジタル信号の場合はデコードし、アナログ信号の場合はＡ／Ｄ変換して、液晶パネル２０７、２０８、２０９に適した表示解像度になるように解像度変換（スケーリング）を行ない、液晶パネルドライバ２１３に所定のフォーマットで映像データを伝送する。映像信号処理マイコン２０１では、上記以外に色補正や台形補正を処理することもできる。液晶パネル２０７、２０８、２０９は液晶パネルドライバ２１３からの映像データ信号、制御信号を受け取り、映像を表示するデバイスである。
【００２２】
２０３は、プロジェクタの操作ボタン１０３〜１１０からの信号制御、冷却ファン２１４、高輝度のランプを点灯制御するランプ制御回路２１５、筐体内の温度を検知する複数の温度センサー２１６など、プロジェクタ内蔵のセンサー、およびアクチュエータ全体を統括制御するマイコン（以下、プロジェクタ制御マイコンという）である。
【００２３】
プロジェクタ制御マイコン２０３は、操作ボタン１０３〜１１０からズーム制御の指示を受けるとモータドライバ回路２１２に信号を送り、ズームモータ２２０を駆動して投射レンズを制御する。
【００２４】
２１６はランプ２１７周辺部に取り付けられている温度センサーであり、プロジェクタ制御マイコン２０３がこれらのセンサーからの出力値を判定して、複数の冷却ファン２１４の回転数を制御し風量を調整する。
【００２５】
２１１はスクリーン面上に投射レンズ１０２合焦させるために動作させるためのフォーカス用のモータであり、プロジェクタ制御マイコン２０３がモータドライバ２１２を制御して駆動する。
【００２６】
２０２はネットワーク通信端子１１３から入力された信号をデコードし、映像信号処理マイコン２０１で処理できる信号フォーマットに変換するためのマイコンである。
【００２７】
２１９はプロジェクタのＡＣ−ＤＣ電源変換するための電源であり、商用電源からプロジェクタで使用するＤＣ電源を生成する。
【００２８】
２１５はランプ制御回路であり、プロジェクタ制御マイコン２０３からの指示を受けて、ランプ２１７の点灯に必要な高電圧を生成する回路である。
【００２９】
２０５、２２１は不揮発性のメモリであり、それぞれ接続先のマイコンのプログラム、および設定用のデータを格納している。
【００３０】
２０６、２０７は揮発性のメモリであり、投影画像のフレームバッファや、各マイコン内の演算用バッファとして使用される。
【００３１】
図３（ａ）に、画像処理マイコン２０１周辺デバイスと詳細な信号の流れを示す。
【００３２】
２０１は画像処理マイコンであり、その内部ブロック図を示す。
【００３３】
３０１はＲＧＢデータ分離部であり、外部から入力された映像データをＲＧＢ各色のデータに分離する機能を有する。３０２、３０３、３０４は映像データ同期判定部であり、ＲＧＢデータ分離部３０１から出力されたＲＧＢ各色のデータ信号を解析し、１水平同期期間内のデータバスを伝送するデジタル信号の遷移回数、遷移の方向を数値化する機能を有する。比較部３０５では、色ごとのデータバスを流れるデジタル信号の遷移状態の解析結果を受けて、どの色同士が映像データの遷移に相関性が高いかどうか比較・判定し、その結果から液晶パネルの水平方向の走査方向を決定するブロックである。以下、パネルドラバ２１３、液晶パネル２０７〜２０９については前述のとおりである。
【００３４】
図３（ｂ）に、映像データ同期判定部にて抽出されるデータの例を示す。
【００３５】
抽出データは２次元の行列で表現され、行数は解析するデータバスの本数、列数は１水平同期期間内のデータビット数をＮとすると（Ｎ−１）で定義される。行列の各要素は“０”、“１”、“−１”で表現され、行列の要素が“１”の場合は、着目するデータビットが１つ前のビットに対して“０”から“１”へ遷移したことを示す。逆に行列の要素が“−１”の場合は着目するデータビットが１つ前のビットに対して、“１”から“０”へ遷移したことを示す。行列の要素が“０”の場合は変化していないことを表す。このようにして、各データバスを伝送するデジタル信号の遷移の状態を抽出する。
【００３６】
図４に、本実施例のフローチャートを示す。
【００３７】
初めにプロジェクタの電源ボタン１０３を押して投影状態にし、プロジェクタに接続された機器から映像信号を入力する（Ｓ４０１）。
【００３８】
デジタル映像入力端子１１１、アナログ映像入力端子１１２、またはネットワーク通信端子１１３のいずれかからの映像入力を検知すると、映像信号処理マイコン２０１内の比較部３０５にあるデータ遷移比較カウンタＮｒｇ、Ｎｇｂ、Ｎｒｂをゼロにリセットする（Ｓ４０２）。ここでＮｒｇはＲＥＤとＧＲＥＥＮ映像のデータバスにおける“０”、“１”遷移の相関性の高低を表すカウンタである。Ｎｒｇは１水平同期期間ごとにＲＥＤとＧＲＥＥＮの映像のデータの遷移回数や遷移方向を比較し、相関が高い場合と判定した場合は１ずつカウントされる。同様にして、ＮｇｂはＧＲＥＥＮとＢＬＵＥの映像データ、ＮｒｂはＲＥＤとＢＬＵＥの映像データバスを伝送する信号パターンの相関性を比較するカウンタであり、数値の定義はそれぞれＮｒｇと同じである。
【００３９】
次に、映像信号処理マイコン２０１内のＲＧＢデータ分離部３０１でＲＥＤの映像データ成分に分離されたデジタル信号は、ＲＥＤの映像データ同期判定部３０２にて、データバスを伝送する１水平同期期間内のデジタル信号の“０”、“１”の遷移回数とその遷移方向の情報が先に示した行列式の形で抽出される（Ｓ４０３）。
【００４０】
同様にして、ＲＧＢデータ分離部３０１でＧＲＥＥＮ、ＢＬＵＥの各映像データ成分に分離されたデジタル信号は、ＧＲＥＥＮの映像データ同期判定部３０３、ＢＬＵＥの映像データ同期判定部３０４にて、データバスを伝送する１水平同期期間内のデジタル信号の“０”、“１”の遷移回数とその遷移方向の情報を抽出する（Ｓ４０４、Ｓ４０５）。
【００４１】
このようにしてＲＧＢごとに抽出された映像データの遷移情報を基に、映像信号処理マイコン２０１内の比較部３０５にて、ＲＥＤとＧＲＥＥＮの色で１水平同期期間内のデータ遷移情報を比較する（Ｓ４０６）。言い換えると、色ごとに抽出された図３（ｂ）のような行列式を比較する。
【００４２】
Ｓ４０６でのＲＥＤとＧＲＥＥＮのデータ比較の結果、遷移回数、遷移方向が５０％以上一致していると判定された場合は、ＲＥＤとＧＲＥＥＮのデータ遷移比較カウンタの値を１カウントする（Ｓ４０９）。
【００４３】
同様にして、映像信号処理マイコン２０１内の比較部３０５において、ＧＲＥＥＮとＢＬＵＥ、ＲＥＤとＢＬＵＥについても色ごとのデータバスを伝送する信号の遷移情報を比較し（Ｓ４０７、Ｓ４０８）、比較結果が５０％以上の相関がみられる場合は、それぞれのデータ遷移比較カウンタＮｇｂ、Ｎｒｂのカウントを１ずつ増やす（Ｓ４１０、Ｓ４１１）。
【００４４】
以上の手続きを、１垂直同期期間（１フレーム）内について処理していない場合は、（Ｓ４０３）に戻り次の１水平同期期間に対しても上記と同様の処理を順次繰り返す。１垂直同期期間内の比較処理が完了した場合は、次の処理に移行する（Ｓ４１２）。
【００４５】
続いて、算出されたＮｒｇ、Ｎｇｂ、Ｎｒｂのうち、最大の値Ｎｍａｘを算出する（Ｓ４１３）。もし、Ｎｍａｘが所定の値αを超える場合は、Ｎｍａｘに該当する液晶パネルの組み合わせで、それぞれに伝送される映像信号の走査方向が逆になるように、比較部３０５がパネルドライバ２１３に対して、制御信号を出力する。αは放射電磁界ノイズレベルの大小に関連するパラメータで、任意に設定できる。また、Ｎｍａｘがαより小さな場合は、上記の走査方向の変更は行わない（Ｓ４１４、４１５）。
【００４６】
上記処理ののち、パネルドライバ２１３は各色別の液晶パネルデータ２０７〜２０９に映像データと制御信号を伝送して、映像を投影する（Ｓ４１６）。
【００４７】
プロジェクタ制御マイコン２０３は映像投影後、任意の時間Ｔ１経過していない場合は、映像をそのまま投影し続ける。時間Ｔ１が経過した場合は、映像信号が入力状態を映像信号処理マイコン２０１が確認した上で、映像信号が入力されていれば、Ｓ４０２に戻り、処理を繰り返す（Ｓ４１７、Ｓ４１８）。
【００４８】
Ｓ４０２〜Ｓ４１８の処理は極めて短時間に行われるため、映像信号が入力され続けている間は上記処理を行ったとしても、投射映像が途切れることはない。
【００４９】
最後にＳ４１８で画像が入力がない場合は、投影を完了する（Ｓ４１９）。
【００５０】
ここで、図５（ａ）、（ｂ）に放射電磁界ノイズの発生要因の観点から本発明の効果を含めて解説する。
【００５１】
フローチャートＳ４１３でＮｍａｘがＮｇｂと算出された場合、ＧＲＥＥＮの液晶パネルとＢＬＵＥの液晶パネルへ伝送される映像データの相関が高く、放射電磁界ノイズが大きくなる傾向にあると推測できる。この状態を図５（ａ）に示す。
【００５２】
図５（ａ）では、プロジェクタが、白黒の幾何学的な細かなパターン５０１を投影している状態を示している。本実施例では投射映像はＲＧＢ各パネルの合成像であるため、ＲＥＤ、ＧＲＥＥＮ、ＢＬＵＥの各パネルにもそれぞれ同じ映像が表示されていることになる（５０２〜５０４）。
【００５３】
５０５〜５０７に、このとき各液晶パネルへ伝送されるＣＬＫ信号とデータバス信号の状態を示す。図のＴａ、Ｔｂ、Ｔｃの各時刻ではＧＲＥＥＮのパネルとＢＬＵＥのパネルに伝送されるデータバス上の信号遷移点が４箇所ずつあり、遷移する方向もそれぞれの時刻で５０％以上一致している。これは、他のＲＥＤとＧＲＥＥＮ、ＧＲＥＥＮとＢＬＵＥの組み合わせと比べて、多数のデータバスが同時に遷移している（“０”から“１”、“１”から“０”にスイッチングする）。この状態が、ＮｍａｘがＮｇｂと算出された状態である。
【００５４】
一般的に、高速デジタル信号では、電圧レベルが遷移する際、遷移速度（スルーレート）が大きくなるほど高周波成分が空間に放出されやすい。このため、遷移するデジタル信号が多いほど、空間に放出される電磁界ノイズレベルも増大する。つまり、Ｎｍａｘが高い数値を示すほど、放射電磁界ノイズも大きくなる傾向がある。
【００５５】
したがって、このＮｍａｘが所定の値αを超える場合には、データバスを伝送する信号が同時に遷移による放射電磁界ノイズの増加を抑える目的で、ＧＲＥＥＮとＢＬＵＥの水平方向のデータ走査方向が互いに逆になるよう、映像信号処理マイコン２０１はデータバスの信号の出力を制御する。このフローが図４のＳ４１４、Ｓ４１５のステップに該当し、図５（ａ）の５０８と５０９にその時の液晶パネルの水平方向の走査方向とデータバスの信号遷移状態を示す。走査方向を変える前と比べて、時刻Ｔａ、Ｔｂ、Ｔｃでデータバスがで王子に遷移する回数が減っていることがわかる。ＢＬＵＥの本実施例では、ＢＬＵＥのデータバスを伝送する信号に対して走査方向を逆にしているが、ＧＲＥＥＮのデータバスを伝送する信号に対してでもよい。
【００５６】
さらに、データバスの同時遷移の回数の増減が放射電磁界ノイズにどのような影響を及ぼすかを模式的に示したものが図５（ｂ）である。ＲＧＢ各液晶パネルに伝送されるデジタル信号５１０〜５１２に関して、時刻Ｔａでのデータバス信号の遷移によって発生する放射電磁界ノイズレベルを周波数領域に変換して示している（５１３〜５１５）。時刻Ｔａでのデータバスの遷移の本数が多いほど、空間に放射されたノイズスペクトルも大きくなり、すべてのパネルから放射されたノイズ合成が５１８に示すようになる。
【００５７】
前述のとおり、５１６にＢＬＵＥパネルに伝送する信号の水平方向の走査を逆にしたときのパネルへ伝送する信号の遷移状態を示す。ＧＲＥＥＮとＢＬＵＥのデータバスが同時に遷移するポイントが変更前の４箇所から、変更後は２か所に減るため、５１７に示すように、空間へ放出される電磁界ノイズも小さく抑えられる。さらに、すべてのパネルから放射されるノイズの合計も５１８のとおり、走査方向を逆にしないときに比べて、低減できる。
【００５８】
本実施例では、映像データを伝送するデータバスの信号遷移情報を基に、水平方向の走査方向を制御する例を示したが、入力される映像を解析し、映像に含まれる画像または文字の比率、または色のコントラストの高低等を総合的に解析してその結果に応じて、任意の液晶パネルの走査方向を変更してもよい。
【実施例２】
【００５９】
第２の実施形態について説明するが、基本的な構成は実施例１と同様であり、構成上異なる部分のみ以下に記述する。
【００６０】
図２（ｂ）は本実施例に関わる実施形態を示すブロック図である。実施例１で示した図２（ａ）と異なるのは、ＲＧＢ各色の液晶パネル２０７、２０８、２０９の近傍に、それぞれ電磁界センサー２２１、２２２、２２３が配置されている点である。その他の構成は実施例１で説明した構成と同じである。
【００６１】
図６に、本実施例における画像処理マイコン２０１周辺デバイス、および電磁界センサー２２１、２２２、２２３と信号の流れを示す。
【００６２】
６０１はＲＧＢデータ分離部であり、外部から入力された映像データをＲＧＢ各色のデータに分離する機能を有する。液晶パネル２０７、２０８、２０９の近傍に配置された電磁界センサー２２１、２２２、２２３からの出力データは比較部６０２に伝送され、ＲＧＢ各色のパネル近傍から放射される放射レベルの大小を比較する。比較部６０２では、得られた電磁界データから比較・判定し、その結果から液晶パネルの水平方向の走査方向を決定する。
【００６３】
次に、図７に、本実施例のフローチャートを示す。
【００６４】
初めにプロジェクタの電源ボタン１０３を押して投影状態にし、プロジェクタに接続された機器から映像信号を入力する（Ｓ７０１）。
【００６５】
デジタル映像入力端子１１１、アナログ映像入力端子１１２、またはネットワーク通信端子１１３のいずれかからの映像入力を検知すると、映像処理マイコン２０１内の比較部３０１は、ＲＥＤの液晶パネルの近傍に配置している電磁界センサー２０７の出力値Ｓｒを読み出す（Ｓ７０２）。同様にして、ＧＲＥＥＮの液晶パネル近傍に配置している電磁界センサー２０８の出力値Ｓｇを読み出す（Ｓ７０３）。さらにＢＬＵＥの液晶パネル近傍に配置している電磁界センサー２０９の出力値Ｓｂを読み出す（Ｓ７０４）。
【００６６】
３つの電磁界センサー２０７、２０８、２０９は同じ映像データを入れた場合、同じ値を出力するように配置、調整されているため、入力される映像によってＲＧＢどの液晶パネルの放射電磁界ノイズが大きいかを把握できる。
【００６７】
比較部３０１では、得られた３つのセンサー出力値Ｓｒ、Ｓｇ、Ｓｂの中で最大の出力値Ｓｍａｘを算出する。仮にＳｒ、Ｓｇ、Ｓｂの内２つの値が所定の値βを超えた場合は、パネル近傍から放射される電磁界ノイズは相当量大きいものと判断し、Ｓｍａｘを検出した液晶パネルの水平方向の走査方向を他の２つのパネルと比較し逆転させ（Ｓ７０５、Ｓ７０６）、映像を投影する（Ｓ７０８）。Ｓｒ、Ｓｇ、Ｓｂの内、２つの値がβを下回る場合には、すべてのパネルで走査方向は逆転させずにそのまま投影を続ける。
【００６８】
プロジェクタ処理マイコン２０３は所定の時間Ｔ２が経過していない場合は、映像を投射し続け（Ｓ７０９）、時間Ｔ２が経過した場合は、映像信号が入力されているかどうか確認する（Ｓ７１０）。仮に映像信号が入力され続けている場合は、再度Ｓ７０２に戻り、処理を繰り返す。映像信号が入力されていなければ投影を終了する（Ｓ７１１）。
【００６９】
本実施例では、実施例１の図５で示したような映像を投影しているか否かを、液晶パネル近傍から放射される放射電磁界ノイズを電磁界センサーの出力の大小で判断することを想定している。このため、液晶パネル近傍の電磁界ノイズレベルが、２か所以上で所定の値を超える場合は、片方の液晶パネルの走査方向を逆転することで、データバスを伝送する信号パターンの一致を防ぎ、全体の放射電磁界レベルを抑える効果が期待できる。
【００７０】
以上、実施例１、２として、本発明の好ましい実施形態について説明したが、本発明はこれらの実施形態に限定されず、その要旨の範囲内で種々の変形及び変更が可能である。
【符号の説明】
【００７１】
２０７，２０８，２０９  液晶パネル、２０１  映像信号処理マイコン、
２１３  パネルドライバ、２０７，２０８，２０９  液晶パネル、
２２１，２２２，２２３  電磁界センサー、３０１  ＲＧＢデータ分離部、
３０２，３０３，３０４  映像データ同期判定部、３０５  比較部
【図１】
2018004848.tif 000003
【図２（ａ）】
2018004848.tif 000004
【図２（ｂ）】
2018004848.tif 000005
【図３（ａ）】
2018004848.tif 000006
【図３（ｂ）】
2018004848.tif 000007
【図４】
2018004848.tif 000008
【図５（ａ）】
2018004848.tif 000009
【図５（ｂ）】
2018004848.tif 000010
【図６】
2018004848.tif 000011
【図７】
2018004848.tif 000012